(57)【特許請求の範囲】
【請求項１】
車椅子の背もたれを支持する支持部材に固定されるヘッドレストであって、
前記支持部材に固定され、下方から上方に延び、筒状体に形成された一対の固定部と、
上方側から一対の前記固定部の内部に、下端側からそれぞれ挿入される一対の軸部と、
一対の前記軸部の上端側に左右の側縁が固定され、柔軟性を有する素材の布状体に形成され、前記車椅子に着席した使用者の頭部を支持する本体と、を備え、
前記本体は、一方の側縁に前記軸部が挿入される筒状の軸部挿入部と、一方の面の左右方向において、一方の端部から中央までの範囲に形成された第１面接合部と、中央から他方の端部までの範囲に形成され、前記第１面接合部と着脱自在に接合する第２面接合部と、を有し、
前記本体は、前記軸部挿入部に一方の前記軸部が挿入され、他方の前記軸部を支点に折り返し、前記第１面接合部と前記第２面接合部とが接合することで、一対の前記軸部に固定され、
前記軸部は、
上下方向に延び、前記本体の前記軸部挿入部に挿入され又は前記本体の折り返しの支点となり、前記本体が固定される軸部材と、
前記軸部材の上端に配置され、前記本体の上端を押さえる上押さえ部材と、
前記軸部材の中間部分に配置され、前記本体の下端を押さえる下押さえ部材と、
前記軸部材において、前記上押さえ部材と前記下押さえ部材との間に配置され、前記本体の前記第１面接合部又は前記第２面接合部と接合する軸部接合部材と、を備えるヘッドレスト。
【請求項２】
一対の前記軸部のうち少なくとも一方は、前記下押さえ部材より下方において、前記軸部材にスライド自在に固定され、前記固定部の上端に当接する調整部材を、更に備える請求項１に記載のヘッドレスト。
【発明の詳細な説明】
【技術分野】
【０００１】
本発明は、ヘッドレストに関し、詳しくは、車椅子の背もたれを支持する支持部材に固定されるヘッドレストに関する。
【背景技術】
【０００２】
近年、車椅子を使用する使用者を車椅子に着席させたまま、車椅子と共に車に乗せる場合がある。
ところで、一般的な車椅子は、背もたれは設けられているものの、ヘッドレストは設けられていない。このような一般的な車椅子と共に車に乗る使用者は、上記の場合、ヘッドレストが無い状態で走行する車に乗っていることとなる。
このため、仮に、乗車した車が、急ブレーキをかけたり、他の車と衝突した場合、このような一般的な車椅子に着席した使用者の頭を支えるものがないので、当該使用者は、首を損傷する場合がある。
【０００３】
そこで、車椅子に取り付けるヘッドレストが提案されている。
例えば、このような車椅子に取り付けるヘッドレストとして、枕部と、枕部を両側から持ち上げるように支持する逆略Ｕ字形の支持パイプと、車椅子の背凭れフレームに固定される取付具と、を備え、支持パイプの下端部を取付具に上方から差し込んで固定するヘッドレストが提案されている（特許文献１）。
この車椅子用ヘッドレスト機構によれば、車椅子に着席した使用者の頭部を支持するための枕部を車椅子に着脱自在に取付けることができる。
【先行技術文献】
【特許文献】
【０００４】
【特許文献１】特開２００１−３２７５４１号公報
【発明の概要】
【発明が解決しようとする課題】
【０００５】
ところで、車椅子は、使用しないときには、幅を狭くする方向に折りたたまれる。車椅子を折りたたむ場合、特許文献１のヘッドレストは、枕部及び枕部を支持する逆略Ｕ字形の支持パイプを折りたたむことができないため、車椅子から外す必要がある。即ち、車椅子を使用するときには、車椅子を拡げてから、ヘッドレストを取り付ける必要がある。
【０００６】
また、車椅子の幅は車種によって様々である。このため、ある車椅子に取り付けられていたヘッドレストを、幅が異なる他の車椅子に取り付ける場合、ヘッドレストの幅を調整する必要がある。
しかしながら、特許文献１のヘッドレストは、上記の場合、逆略Ｕ字形の支持パイプの幅を車椅子の幅に合わせるとともに、この支持パイプと枕部とが接合する部分を調整する必要があり、操作が煩雑である。
【０００７】
本発明は、車椅子と共に折りたたむことができ、幅の調整が容易なヘッドレストを提供することを目的とする。
【課題を解決するための手段】
【０００８】
（１）  車椅子の背もたれを支持する支持部材に固定されるヘッドレストであって、
前記支持部材に固定され、下方から上方に延び、筒状体に形成された一対の固定部と、
上方側から一対の前記固定部の内部に、下端側からそれぞれ挿入される一対の軸部と、
一対の前記軸部の上端側に左右の側縁が固定され、柔軟性を有する素材の布状体に形成され、前記車椅子に着席した使用者の頭部を支持する本体と、を備え、
前記本体は、一方の側縁に前記軸部が挿入される筒状の軸部挿入部と、一方の面の左右方向において、一方の端部から中央までの範囲に形成された第１面接合部と、中央から他方の端部までの範囲に形成され、前記第１面接合部と着脱自在に接合する第２面接合部と、を有し、
前記本体は、前記軸部挿入部に一方の前記軸部が挿入され、他方の前記軸部を支点に折り返し、前記第１面接合部と前記第２面接合部とが接合することで、一対の前記軸部に固定されるヘッドレスト。
【０００９】
（１）の構成によれば、ヘッドレストは、車椅子の背もたれを支持する支持部材に固定され、一対の固定部と、一対の軸部と、本体と、を備える。
一対の固定部は、車椅子の支持部材に固定され、下方から上方に延び、筒状体に形成されている。
一対の軸部は、上方側から一対の固定部の内部に、下端側からそれぞれ挿入される。
本体は、一対の軸部の上端側に左右の側縁が固定され、柔軟性を有する素材の布状体に形成され、車椅子に着席した使用者の頭部を支持する。
そして、本体は、軸部挿入部と、第１面接合部と、第２面接合部と、を有する。
軸部挿入部は、一方の側縁において筒状に形成され、軸部が挿入される。
第１面接合部は、一方の面の左右方向において、一方の端部から中央までの範囲に形成されている。
第２面接合部は、中央から他方の端部までの範囲に形成され、第１面接合部と着脱自在に接合する。
そして、本体は、軸部挿入部に一方の固定部が挿入され、他方の固定部を支点に折り返し、第１面接合部と第２面接合部とが接合することで、一対の軸部に固定される。
【００１０】
このような構成によれば、車椅子を折りたたむと、車椅子の支持部材に固定された一対の固定部は、互いに近接する。そして、車椅子に着席した使用者の頭部を支持する本体を、柔軟性を有する素材を布状体に形成したので、車椅子を折りたたむと、本体は、その両側縁が一対の固定部に挿入された軸部に追随して互いに隣接し、中間部分が折れ曲がる。
よって、車椅子にヘッドレストを取り付けた状態で、車椅子を折りたたむことができる。
【００１１】
また、本発明の構成によれば、ある車椅子に取り付けられていたヘッドレストを、幅が異なる他の車椅子に取り付ける場合、以下の手順でヘッドレストの幅を調整する。
まず、ある車椅子の幅に調整されたヘッドレストにおける本体の第１面接合部と第２面接合部との接合を解除する。
そして、一対の軸部をそれぞれ、他の車椅子に固定された一対の固定部に挿入する。このときの一対の軸部間の幅は、他の車椅子におけるヘッドレストの幅である。
【００１２】
次に、軸部挿入部に一方の軸部が挿入された本体を、他方の軸部を支点に折り返し、第１面接合部と第２面接合部とを接合させる。
これにより、ある車椅子に取り付けられていたヘッドレストを、幅が異なる他の車椅子に取り付ける作業が完了する。
【００１３】
このように、本体との取り付け位置を調整しながら、この本体を支持する一対の軸部の幅を調整することなく、単に、車椅子の支持部材に固定された一対の固定部に、一対の軸部を挿入し、この軸部を支点に本体を折り返すだけで、ある車椅子に取り付けられていたヘッドレストを、幅が異なる他の車椅子に取り付けることができる。
したがって、車椅子と共に折りたたむことができ、幅の調整が容易なヘッドレストを提供できる。
【００１４】
（２）  前記軸部は、
上下方向に延び、前記本体の前記軸部挿入部に挿入され又は前記本体の折り返しの支点となり、前記本体が固定される軸部材と、
前記軸部材の上端に配置され、前記本体の上端を押さえる上押さえ部材と、
前記軸部材の中間部分に配置され、前記本体の下端を押さえる下押さえ部材と、
前記軸部材において、前記上押さえ部材と前記下押さえ部材との間に配置され、前記本体の前記第１面接合部又は前記第２面接合部と接合する軸部接合部材と、を備える（１）に記載のヘッドレスト。
【００１５】
（２）の構成によれば、軸部は、軸部材と、上押さえ部材と、下押さえ部材と、軸部接合部材と、を備える。
軸部材は、上下方向に延び、本体の軸部挿入部に挿入され又は本体の折り返しの支点となり、本体が固定される。
上押さえ部材は、軸部材の上端に配置され、本体の上端を押さえる。
下押さえ部材は、軸部材の中間部分に配置され、本体の下端を押さえる。
軸部接合部材は、軸部材において、上押さえ部材と下押さえ部材との間に配置され、本体の第１面接合部又は第２面接合部と接合する。
【００１６】
このような構成によれば、上押さえ部材により、軸部材に固定された本体が上方に抜けるのを防止できる。また、下押さえ部材により、軸部材に固定された本体が下方にずれるのを防止できる。また、軸部接合部材により、軸部材に固定された本体が所定位置からずれるのを防止できる。
【００１７】
また、軸部に本体を固定する場合、軸部挿入部に一方の軸部が挿入された本体を、他方の軸部の軸部接合部材と本体の第１面接合部又は第２面接合部とを接合させてから、この他方の軸部を支点に折り返し、第１面接合部と第２面接合部とを接合させる。
このように、軸部において本体を固定させたい所望の位置において、軸部の軸部接合部材と本体の第１面接合部又は第２面接合部とを接合させてから本体を折り返すことで、本体を所望の位置に保持した状態で、本体を折り返し、第１面接合部と第２面接合部とを接合させることができる。
よって、軸部において本体を固定させたい所望の位置に、本体を容易に固定できる。
【００１８】
（３）  一対の前記軸部のうち少なくとも一方は、前記下押さえ部材より下方において、前記軸部材にスライド自在に固定され、前記固定部の上端に当接する調整部材を、更に備える（２）に記載のヘッドレスト。
【００１９】
（３）の構成によれば、調整部材が固定部の上端に当接することで、軸部及び軸部に固定された本体の高さが保持される。
【００２０】
ここで、車椅子の使用者を車椅子とともに、車に乗せる場合には、車が事故等に合ったときのために、ヘッドレストは必ず必要である。一方で、例えば、介護者が車椅子を押す場合、車椅子にヘッドレストが取り付けられていると、介護者は車椅子に着席した使用者の足下が視認できなくなる。このため、ヘッドレストは、車に乗せる場合以外には、取り外しておき、車に乗せるときにヘッドレストを取り付けるのが望ましい。
また、車椅子の使用者を車椅子とともに車に乗せる場合、車を車道の路肩に停車させ、乗車させる。このとき、車道の幅が狭いと、後続の車を、使用者及び車椅子を車に乗せるまで待たせることとなる。
一方で、車椅子に取り付けたヘッドレストが車椅子に着席した使用者の頭部後方に配置していないと、ヘッドレストとしての機能を発揮できない。
このため、車椅子の使用者を車椅子とともに車に乗せる場合、迅速に、ヘッドレストを車椅子に取り付けるとともに、このヘッドレストを車椅子に着席した使用者の頭部後方に配置する必要がある。
【００２１】
（３）の発明によれば、調整部材を軸部材上においてスライドさせ、本体が所望の高さにくる位置で固定しておくことで、固定部材から軸部を抜き、再び、固定部材に軸部を挿入し、調整部材が固定部の上端に当接させることで、本体を所望の高さに設置できる。
よって、調整部材が固定部材の上端に当接させまで、軸部を固定部材に挿入するだけで、本体を所望の高さに設置できるので、迅速に、ヘッドレストを車椅子に取り付け、このヘッドレストを車椅子に着席した使用者の頭部後方に配置することができる。
【発明の効果】
【００２２】
本発明によれば、車椅子と共に折りたたむことができ、幅の調整が容易なヘッドレストを提供できる。
【図面の簡単な説明】
【００２３】
【図１】本発明の実施形態に係るヘッドレスト１を車椅子５００に適用した状態を示す図である。
【図２】前記実施形態に係るヘッドレスト１を図１に示す後側から視た図である。
【図３】前記実施形態に係るヘッドレスト１の本体３０を展開した状態を示す図である。
【図４】前記実施形態に係るヘッドレスト１の使用方法を説明する図である。
【図５】前記実施形態に係るヘッドレスト１を、車椅子５００に適用し、車椅子５００とともに折りたたんだ状態を示す図である。
【図６】前記実施形態の変形例に係るヘッドレスト１Ａを後側から視た図である。
【図７】前記実施形態に係るヘッドレスト１Ａの使用方法を説明する図である。
【図８】前記実施形態に係るヘッドレスト１Ａの使用方法を説明する図である。
【発明を実施するための形態】
【００２４】
本発明の実施形態に係るヘッドレスト１について説明する。なお、以下の説明において、同一の構成には同一の符号を付し、その説明を省略又は簡略化する。
本発明の実施形態に係るヘッドレスト１の構成を図面に基づいて説明する。
図１は、本発明の実施形態に係るヘッドレスト１を車椅子５００に適用した状態を示す図である。
ヘッドレスト１は、車椅子５００の背もたれ５１０を支持する支持部材５２０に固定される。
【００２５】
図２は、前記実施形態に係るヘッドレスト１を図１に示す後側から視た図である。
ヘッドレスト１は、一対の固定部１０と、一対の軸部２０と、本体３０と、を備える。
一対の固定部１０は、固定手段１５により、車椅子５００の支持部材５２０に固定され、下方から上方に延び、筒状体に形成されている。
固定部１０は、下方側が固定手段１５により支持部材５２０に固定され、上方側が背もたれ５１０の前（図１参照）側に配置されている。
固定手段１５は、２本の棒状体を互いに固定する周知の手段で形成され、例えば、２本の棒状体の周囲に巻き回され、２本の棒状体を互いに密接させて固定する結束バンドや、それぞれの棒状体の周囲に配置された輪状体を互いに連結する金物等で形成されている。
なお、本実施形態において、固定部１０は、下方側を固定手段１５により支持部材５２０に固定し、上方側を後側から背もたれ５１０に支持させる構成としたが、これに限らず、例えば、下方側及び上方側ともに固定手段１５で、支持部材５２０に固定してもよい。
【００２６】
一対の軸部２０は、上方側から一対の固定部１０の内部に、下端側からそれぞれ挿入される。
軸部２０は、軸部材２１と、上押さえ部材２２と、下押さえ部材２３と、軸部接合部材２４と、調整部材２５と、を備える。
軸部材２１は、上下方向に延びる棒状体で形成され、少なくとも下端からその全長の半分以上が固定部１０の内部に挿入される。また、軸部材２１は、固定部１０から露出する部分が、本体３０の後述する軸部挿入部３２に挿入され又は本体３０の折り返しの支点３０ａとなり、本体３０が固定される。
軸部材２１を少なくとも下端からその全長の半分以上を固定部１０の内部に挿入することで、固定部１０及び軸部材２１による、本体３０を支持する部分の強度が向上する。
【００２７】
上押さえ部材２２は、軸部材２１の上端に配置され、本体３０の上端を押さえる。
下押さえ部材２３は、軸部材２１の中間部分に配置され、本体３０の下端を押さえる。
上押さえ部材２２及び下押さえ部材２３は、例えば、軸部材２１の外周に設けられる任意の素材（例えば、金属、樹脂、スポンジ等）で形成された環状体や、軸部材２１の外周に巻き回されるテープ等で構成されている。
【００２８】
図３は、前記実施形態に係るヘッドレスト１の本体３０を展開した状態を示す図である。
軸部接合部材２４は、軸部材２１において、上押さえ部材２２と下押さえ部材２３との間に配置され、後述する本体３０の第１面接合部３３と接合する。
軸部接合部材２４は、かぎ爪状の突起が植毛された帯状体が軸部材２１に巻き回されて形成されている。
なお、本実施形態において、軸部接合部材２４は、第１面接合部３３と接合するように構成したが、これに限らず、第２面接合部３４と接合するように構成してもよい。
【００２９】
調整部材２５は、下押さえ部材２３より下方において、軸部材２１にスライド自在に固定され、固定部１０の上端に当接する。
調整部材２５は、例えば、軸部材２１の外周に設けられる任意の素材（例えば、金属、樹脂、スポンジ等）で形成された環状体で構成されている。
なお、本実施形態において、調整部材２５は、一方の軸部２０にのみ設けているが、これに限らず、調整部材２５は両方の軸部２０に設けてもよい。
【００３０】
本体３０は、一対の軸部２０における軸部材２１の上端側に左右の側縁が固定され、柔軟性を有する素材の布状体に形成され、車椅子５００に着席した使用者の頭部を支持する。
本体３０は、帯状体３１と、軸部挿入部３２と、第１面接合部３３と、第２面接合部３４と、を有する。
帯状体３１は、左右方向に長辺を有する長方形形状であり、柔軟性を有する素材である合成繊維が布状体に形成されている。
【００３１】
軸部挿入部３２は、帯状体３１の一方の短辺（図３に示す例では左辺）において筒状に形成され、軸部２０の軸部材２１が挿入される。
【００３２】
第１面接合部３３は、帯状体３１の一方の面に形成され、左右方向において、一方の端部（図３に示す例では左端）から中央までの範囲に形成されている。
第１面接合部３３には、ループ状の起毛が植毛されている。
【００３３】
第２面接合部３４は、第１面接合部３３が形成された同じ面である、帯状体３１の一方の面に形成され、中央から他方の端部（図３に示す例では右端）までの範囲に形成され、第１面接合部３３と着脱自在に接合する。
第２面接合部３４には、かぎ爪状の突起が植毛されている。
【００３４】
このように、第１面接合部３３と第２面接合部３４や、第１面接合部３３と軸部２０の軸部接合部材２４は、面ファスナーで構成されている。
なお、これらの接合は、面ファスナーに限らず、例えば、ボタンや粘着剤等によってもよい。
【００３５】
次に、本実施形態に係るヘッドレスト１の使用方法について説明する。
図４は、前記実施形態に係るヘッドレスト１の使用方法を説明する図である。
ある車椅子に取り付けられていたヘッドレスト１を、幅が異なる他の車椅子５００に取り付ける場合、以下の手順でヘッドレスト１の幅を調整する。
まず、ある車椅子の幅に調整されたヘッドレスト１における本体３０の第１面接合部３３と第２面接合部３４との接合を解除する。
そして、図４に示すように、一対の軸部２０における軸部材２１をそれぞれ、他の車椅子５００に固定された一対の固定部１０に挿入する。このときの一対の軸部材２１間の幅は、他の車椅子５００におけるヘッドレスト１の幅である。この状態において、第１面接合部３３と、軸部２０の軸部接合部材２４と、を接合する。
【００３６】
次に、本体３０における帯状体３１の他方の短辺（図４に示す例では右辺）を、他方の軸部材２１を支点に折り返し、第１面接合部３３と第２面接合部３４とを接合させる。
これにより、ある車椅子に取り付けられていたヘッドレスト１を、幅が異なる他の車椅子５００に取り付ける作業が完了し、図１に示す状態となる。
【００３７】
図５は、前記実施形態に係るヘッドレスト１を、車椅子５００に適用し、車椅子５００とともに折りたたんだ状態を示す図である。
図１に示す状態から、車椅子５００を折りたたむと、車椅子５００の支持部材５２０に固定された一対の固定部１０は、互いに近接する。そして、本体３０の帯状体３１を、柔軟性を有する素材を布状体に形成したので、車椅子５００を折りたたむと、本体３０は、その両側縁が一対の固定部１０に挿入された軸部２０に追随して互いに隣接し、中間部分が折れ曲がり、図５に示す状態となる。
【００３８】
次に、本実施形態の変形例に係るヘッドレスト１Ａについて説明する。
図６は、前記実施形態の変形例に係るヘッドレスト１Ａを後側から視た図である。
ヘッドレスト１Ａは、一対の軸部２０Ａにおける軸部材２１Ａのうち、一方の軸部材２１Ａ（図６に示す例では左側）に比べ、他方の軸部材２１Ａ（図６に示す例では右側）の下端側が短い点、一対の固定部１０のうち、一方の固定部１０に補助固定部１０Ａが固定部材１１Ａにより固定されている点が、ヘッドレスト１と異なる。なお、固定部材１１Ａは、固定部材１５と同様に、２本の棒状体を互いに固定する周知の手段で形成されている。
【００３９】
次に、本変形例に係るヘッドレスト１Ａの使用方法について説明する。
図７及び８は、前記実施形態に係るヘッドレスト１Ａの使用方法を説明する図である。
ヘッドレスト１Ａを車椅子５００に固定された一対の固定部１０のうち、一方の固定部１０側に寄せる手順を説明する。
まず、図７に示すように、車椅子５００に取り付けられたヘッドレスト１Ａを上方に上げ、他方の軸部材２１Ａ（図６に示す例では右側）のみを、固定部１０から引き抜く。このとき、一方の軸部材２１Ａ（図６に示す例では左側）の下端側は、固定部１０に挿入された状態である。
【００４０】
次に、図８に示すように、他方の軸部材２１Ａを一方の軸部材２１Ａに寄せる。このとき、本体３０は、その両側縁が一対の軸部材２１Ａに追随して互いに隣接し、中間部分が折れ曲がる。
この状態で、ヘッドレスト１Ａを下方に下げ、他方の軸部材２１Ａを、補助固定部１０Ａに挿入する。
【００４１】
ここで、介護者が車椅子５００を押す場合、車椅子５００にヘッドレスト１Ａが取り付けられていると、介護者は車椅子５００に着席した使用者の足下が視認できなり、危険である。一方、ヘッドレスト１Ａを車椅子５００から取り外してしまうと、例えば、介護者は、取り外したヘッドレスト１Ａを持ちながら、車椅子５００を押すこととなり、危険である。
本変形例によれば、ヘッドレスト１Ａを車椅子５００の一方側（図６に示す例では左側）に寄せ、この状態で固定できる。これにより、介護者は、車椅子５００を押す場合、使用者の足下を視認できるとともに、取り外したヘッドレストを持つ必要がなく、安全に車椅子５００を押すことができる。
【００４２】
なお、本発明は前記実施形態に限定されるものではなく、本発明の目的を達成できる範囲での変形、改良等は本発明に含まれるものである。
【符号の説明】
【００４３】
１      ヘッドレスト
１０    固定部
２０    軸部
３０    本体
３２    軸部挿入部
３３    第１面接合部
３４    第２面接合部
５００  車椅子
５１０  背もたれ
５２０  支持部材
【図１】
0005858545.tif 000002
【図２】
0005858545.tif 000003
【図３】
0005858545.tif 000004
【図４】
0005858545.tif 000005
【図５】
0005858545.tif 000006
【図６】
0005858545.tif 000007
【図７】
0005858545.tif 000008
【図８】
0005858545.tif 000009